(57)【要約】【課題】高い緩み止め効果があり、かつ高所においても効率よく取り付け作業ができる雨樋吊具を提供する。【解決手段】ナット（鍔付きナット２０Ａ）は、ナット本体２１が合成樹脂成形体２２の内部に埋め込まれた構成とされ、ナット本体２１の頭部２１ａが合成樹脂成形体２２の表面より埋没され、該合成樹脂成形体２２のうちのナット本体２１の頭部２１ａより突出した部分をスプリングワッシャ部２３として形成している。【選択図】図１
2012229555.tif 000002
【特許請求の範囲】
【請求項１】
ボルト、ナットを用いて吊具本体を使用状態に取付固定するようにした雨樋吊具であって、
上記ナットは、ナット本体が合成樹脂成形体の内部に埋め込まれた構成とされ、
上記ナット本体の頭部が上記合成樹脂成形体の表面より埋没され、該合成樹脂成形体のうちの上記ナット本体の頭部より突出した部分をスプリングワッシャ部として形成したことを特徴とする雨樋吊具。
【請求項２】
請求項１において、
上記スプリングワッシャ部は、上記ナット本体よりも径の大きな鍔部で構成されている雨樋吊具。
【請求項３】
請求項１または２において、
上記ボルト、ナットは、上記吊具本体を屋根に吊り固定するために用いられる固定部材である雨樋吊具。
【請求項４】
請求項１または２において、
上記ボルト、ナットは、上記吊具本体を、軒先等に固定された取付杆に固定するために用いられる固定部材である雨樋吊具。
【発明の詳細な説明】
【技術分野】
【０００１】
本発明は、雨樋を吊り下げる雨樋吊具に関する。
【背景技術】
【０００２】
従来、この種の雨樋吊具として、折板屋根の山部に吊具本体自体が吊り下げ固定されるタイプのものや、軒先に固定されるタイプのものが一般に用いられている（特許文献１、２参照）。
【０００３】
これらのものは、雨樋を使用できる状態に取付固定するために、ボルト、ナットを用いて部品同士を連結固定するようになっており、折板屋根に吊り下げ固定するものではさらに、ボルト（吊りボルト）、ナットを用いて吊具本体を折板屋根に対して吊り下げ固定するようになっている。
【０００４】
図６および図７は、折板屋根の山部に吊り下げ固定されるタイプの従来の雨樋吊具の概略説明図である。図６は側面図、図７は一部を端面で示した正面図である。
【０００５】
この雨樋吊具１００Ａは、折板屋根１の山部１ａに吊り下げ固定される吊りボルト１０１と、吊りボルト１０１の下部に連結した吊具本体１０２とを有している。この雨樋吊具１００Ａの使用状態における構造は、吊りボルト１０１の上部において、防水パッキン１０５、山座１０４を介して上下のナット１０３、１０３の螺着により折板屋根１を挟持固定する構造となっており、吊りボルト１０１の下部においては、吊りボルト１０１と吊具本体１０２とが上下のナット１０３、１０３の螺着により連結固定される構造となっている。
【０００６】
これら上下２組のナット１０３を吊りボルト１０１に対して位置調節することによって、雨樋２の高さ位置を調節できるようになっている。また、吊りボルト１０１と吊具本体１０２との固定用のボルト挿通用の孔１０２ａは、前後方向の出具合調節が可能なように長孔となっている。
【０００７】
一方、図８は、軒先に固定されるタイプの従来の雨樋吊具の概略説明図（分解斜視図）である。
【０００８】
この雨樋吊具１００Ｂは、軒先に取付部材１１１ａを介して取り付けられる取付杆１１１と、取付杆１１１にスライド自在に連結される吊具本体１１２とを有している。この雨樋吊具１００Ｂの使用状態において、取付杆１１１と吊具本体１１２とを、吊具本体１１２に形成した長孔１１２ａを介したボルト１１４、ナット（蝶ナット）１１３の螺着によって、出具合調節が可能なように固定できる構造となっている。
【０００９】
以上に示した２種の雨樋吊具１００Ａ、１００Ｂは、軒先等の屋外で雨樋２を吊り下げた状態で使用されるため、風雨に長期間晒されても、出具合調節部において吊具本体１０２、１１２が緩んでぐらつくことのないように、スプリングワッシャ１０６、１１５を取り付けて緩まないようにすることが通例となっている。
【先行技術文献】
【特許文献】
【００１０】
【特許文献１】特許第４４４３５４４号公報
【特許文献２】特開平９−２５６５７０号公報
【発明の概要】
【発明が解決しようとする課題】
【００１１】
しかしながら、この種の雨樋吊具の使用環境は屋外であり、かつ使用状態では雨樋を吊り下げた状態にあるから、ボルト止めによる他の種々の固定構造に一般的に用いられる周知のスプリングワッシャでは、十分な緩み止め効果が得られないことがある。
【００１２】
また、スプリングワッシャは薄く小さな部材で扱いにくく、また部品点数も多くなるため、高所での作業を強いられる雨樋吊具の取り付けには作業効率上の観点からは、スプリングワッシャの使用が望ましくはないという問題もあった。
【００１３】
本発明は、このような事情を考慮して提案されたもので、その目的は、高い緩み止め効果があり、かつ高所においても効率よく取り付け作業ができる雨樋吊具を提供することにある。
【００１４】
また、図６、図７の例では、折板屋根１に対して、雨樋吊具１００Ａが振れたりぐらついたりすることなく安定した吊り下げ状態を維持するために、折板屋根１の裏面側には鍔付きナット１０３が用いられているが、この鍔部分にはスプリングワッシャの機能はない。本発明では、このような鍔付きナットにおいても、高い緩み止め効果と作業効率の向上効果が奏せられることを目的としている。
【課題を解決するための手段】
【００１５】
上記目的を達成するために、請求項１に記載の雨樋吊具は、ボルト、ナットを用いて吊具本体を使用状態に取付固定するようにした雨樋吊具であって、ナットは、ナット本体が合成樹脂成形体の内部に埋め込まれた構成とされ、ナット本体の頭部が合成樹脂成形体の表面より埋没され、該合成樹脂成形体のうちのナット本体の頭部より突出した部分をスプリングワッシャ部として形成したことを特徴とする。
【００１６】
請求項２に記載の雨樋吊具では、スプリングワッシャ部は、ナット本体よりも径の大きな鍔部で構成されている。
【００１７】
請求項３に記載の雨樋吊具では、ボルト、ナットは、吊具本体を屋根に吊り固定するために用いられる固定部材である。
【００１８】
請求項４に記載の雨樋吊具では、ボルト、ナットは、吊具本体を、軒先等に固定された取付杆に固定するために用いられる固定部材である。
【発明の効果】
【００１９】
本発明によれば次のような効果がある。
【００２０】
すなわち、請求項１に記載の雨樋吊具によれば、ナット本体の頭部が合成樹脂成形体の表面より埋没され、合成樹脂成形体のうちのナット本体の頭部より突出した部分をスプリングワッシャ部として形成した構成となっているため、別体のスプリングワッシャを用いることなく、吊具本体を使用状態に取付固定することができる。スプリングワッシャ部は合成樹脂成形体で構成されているため、その弾性力によって高い緩み止め効果が得られる。
【００２１】
また、ナット本体と、スプリングワッシャ部が一体となった構成であるため、別体のスプリングワッシャを用いなくてもよく、また部品点数を少なくすることができ、そのため高所において効率よく作業することができるし、さらには低コスト化や在庫管理の省力化にも寄与できる。
【００２２】
請求項２に記載の雨樋吊具によれば、スプリングワッシャ部を鍔部で構成しているため、スプリングワッシャ部の上記効果にくわえて、雨樋吊具を固定対象に対して、ぐらつきなく安定した状態に固定できるという効果を奏せられる。
【００２３】
請求項３に記載の雨樋吊具は、ボルト、ナットが吊具本体を屋根に吊り固定するための固定部材として用いられる構成であるため、吊り下げタイプの雨樋吊具の吊具本体を緩みなく屋根に固定することができる。
【００２４】
請求項４に記載の雨樋吊具は、吊具本体を軒先等に固定された取付杆に固定するための固定部材として用いられる構成であるため、軒先固定タイプの雨樋吊具の吊具本体を緩みなく軒先に固定することができる。
【図面の簡単な説明】
【００２５】
【図１】本発明の雨樋吊具の第１実施形態を示す概略側面図である。
【図２】一部を端面で示した雨樋吊具の概略正面図である。
【図３】（ａ）は第1実施形態で用いられるナットの拡大斜視図、（ｂ）は同拡大縦断面図である。
【図４】本発明の雨樋吊具の第２実施形態を示す概略分解斜視図である。
【図５】（ａ）は第２実施形態で用いられるナットの拡大縦断面図、（ｂ）は同拡大平面図である。
【図６】従来の雨樋吊具の一例を示す概略側面図である。
【図７】同例の概略正面図である。
【図８】従来の雨樋吊具の他例を示す概略分解斜視図である。
【発明を実施するための形態】
【００２６】
以下に、本発明の実施形態について、添付図面を参照しながら説明する。
【００２７】
図１は、本発明の雨樋吊具の第１実施形態を示す概略側面図である。図２は、一部を端面で示した雨樋吊具の概略正面図である。図３（ａ）は同実施形態で用いられるナットの拡大斜視図、図３（ｂ）は同拡大縦断面図である。
【００２８】
この雨樋吊具１０Ａは、折板屋根１の山部１ａに吊り下げ固定されるタイプの吊具であり、折板屋根１に吊り下げ固定される吊りボルト１１Ａと、吊りボルト１１Ａの下部に連結した吊具本体１２とを有している。この雨樋吊具１０Ａの使用状態における構造は、吊りボルト１１Ａの上部において、防水パッキン１５、山座１４を介した上方のナット１３および折板屋根１の下方に配したナット２０Ａの吊りボルト１１Ａに対する螺着により折板屋根１を挟持固定する構造となっている。また、吊りボルト１１Ａの下部においては、吊りボルト１１Ａと吊具本体１２とが上方のナット１３および下方のナット２０Ａの螺着により連結固定される構造となっている。
【００２９】
すなわち、これら上下２組のナット１３、２０Ａを吊りボルト１１Ａに対して位置調節することによって、雨樋２の高さ位置を調節できるようになっている。
【００３０】
吊具本体１２は、前後部に雨樋２の耳部２ａを掛止する耳掛止部１２ｂを有し、それぞれに対応した抜け止め片１２ｃを設けて、耳部２ａの抜け外れを防止する構造となっている。
【００３１】
この吊具本体１２の中央に位置する板状の連結部１２ａには、吊りボルト１１Ａを挿通可能な長孔１２ａｂが開設されており、吊りボルト１１Ａの挿通固定位置を適宜調節することにより、雨樋２の出具合調節を自在とした連結が可能となっている。
【００３２】
本実施形態では、吊りボルト１１Ａに螺着する２組のナット１３、２０Ａのうち下方に配するそれぞれのナットが鍔を有したナット２０Ａ（鍔付きナット２０Ａ）で構成されている。
【００３３】
この鍔付きナット２０Ａは、金属製のナット本体２１が合成樹脂成形体２２の内部に埋め込まれた構成とされている。つまり、この鍔付きナット２０Ａは、ナット本体２１を金型に挿入してから、硬化すると弾性体となる合成樹脂を注入して一体成形（インサート成形）してなるものである。
【００３４】
また、この鍔付きナット２０Ａは、ナット本体２１の頭部２１ａ（ナット本体２１の螺進方向に位置する部位）が合成樹脂成形体２２の表面より埋没されて凹んだ位置に配されている。
【００３５】
合成樹脂成形体２２のうち、このナット本体２１の頭部２１ａより突出した螺進方向の先端部分は、固定対象物を直接押圧する押圧部Ａで構成され、その押圧部Ａはナット本体２１の径よりも大とした鍔部２４で構成されている。図３に図示されるように、この鍔部２４は中央にボルト挿通孔２４ａを有した環状体となっている。
【００３６】
この鍔部２４は弾性体よりなる合成樹脂成形体２２の一部であるため、鍔付きナット２０Ａを螺進させていくと、上方に螺着されたナット１３との両作用によって折板屋根１の裏面および吊具本体１２の連結部１２ａの裏面を押圧して、鍔部２４自身が上下方向に圧縮される。つまり、この鍔部２４は、環状体の切り口をねじることによりばね作用を持たせたスプリングワッシャと同等の作用を有するスプリングワッシャ部２３を構成している。
【００３７】
このように、鍔付きナットが２０Ａがスプリングワッシャ部２３を備えているので、別体のスプリングワッシャを用いることなく、吊具本体１２を使用状態に取付固定することができ、鍔付きナット２０Ａの有する合成樹脂成形体２２の弾性力によって高い緩み止め効果が得られる。
【００３８】
また、ナット本体２１と、スプリングワッシャ部２３が一体となった構成であるため、別体のスプリングワッシャを用いなくてもよく、また部品点数を少なくすることができ、そのため高所において効率よく作業することができ、低コスト化や在庫管理の省力化にもつながる。
【００３９】
また、スプリングワッシャ部２３は鍔状に形成しなくてもよいが、折板屋根１に対する固定は、図例のように、鍔付きナット２０Ａを用いるほうが、ナットの頭部（鍔部の外面）が広い面積で折板屋根１に接触するため、雨樋吊具１０Ａはぐらつくことなく安定した吊り下げ状態を維持できる。
【００４０】
なお、本実施形態では、吊りボルト１１Ａの上部および下部のそれぞれにおいて、下方のナットを鍔付きナット２０Ａで構成したが、上方のナットにも鍔付きナット２０Ａを適用させてもよいし、上方のナットのみを鍔付きナット２０Ａとしてもよい。
【００４１】
ついで、本発明の雨樋吊具の第２実施形態について説明する。
【００４２】
図４は、本発明の雨樋吊具の第２実施形態を示す概略分解斜視図である。図５（ａ）は第２実施形態で用いられるナットの拡大縦断面図、図５（ｂ）は同拡大平面図である。
【００４３】
この雨樋吊具１０Ｂは、軒先に固定されるタイプの吊具であり、軒先に取付部材１７を介して取り付けられる取付杆１６と、取付杆１６にスライド自在に連結される吊具本体１２とを有している。
【００４４】
取付杆１６の前部には段落ちした連結片１６ａが形成してあり、その連結片１６ａには、ボルト１１Ｂが挿通される軸孔１６ａｂが開設されている。
【００４５】
一方、吊具本体１２は、取付杆１６の連結片１６ａの下方に配される連結部１２ａと、その連結部１２ａの前後側に配した、雨樋２の耳部２ａを掛止する耳掛止部１２ｂとを有した構造となっている。
【００４６】
連結部１２ａには、長手方向に沿って長孔１２ａｂが形成されており、その幅方向の両側には滑り止め用の凹凸部１２ａｃが形成されている。この吊具本体１２の長孔１２ａｂに対する取付杆１６の連結片１６ａの位置を調節することで、雨樋２の出具合調節ができるようになっている。
【００４７】
本実施形態では、吊具本体１２の長孔１２ａｂ、取付杆１６の軸孔１６ａｂを挿通させたボルト１１Ｂにナット２０Ｂ（蝶ナット２０Ｂ）を螺着させて吊具本体１２を固定できるようになっている。
【００４８】
この蝶ナット２０Ｂは、図示したように上方が開口された船形状をなしており、その底部にナット本体２１が埋め込み形成されている。
【００４９】
この蝶ナット２０Ｂは、金属製のナット本体２１を金型に挿入してから、硬化すると弾性体となる合成樹脂を注入して一体成形（インサート成形）してなり、合成樹脂成形体２２は、船状体の底部に配され、ナット本体２１を収容したナット収容部２６と、そのナット収容部２６を中心にして相対する２方向に延びて手指により操作できるようにした操作部２５とより構成されている。
【００５０】
このナット収容部２６は、ナット本体２１の頭部２１ａ（ナット本体の螺進方向に位置する部位）が合成樹脂成形体２２の底部の外表面より埋没されて凹んだ位置に配されている。
【００５１】
ナット収容部２６のうち、このナット本体２１の頭部２１ａより突出した螺進方向の先端部分は、固定対象物である取付杆１６の連結片１６ａを直接押圧する押圧部Ａで構成されている。また、図５に図示されるように、このナット収容部２６は中央にボルト挿通孔２６ａを有した形状となっている。
【００５２】
この押圧部Ａは合成樹脂成形体よりなる弾性体で形成されているため、蝶ナット２０Ｂを螺進操作していくと、取付杆１６の連結片１６ａの上面を押圧し、押圧部Ａ自身が上下方向に圧縮される。つまり、この押圧部Ａは、環状体の切り口をねじることによりばね作用を持たせたスプリングワッシャと同等の作用を有するスプリングワッシャ部２３を構成している。
【００５３】
このように、蝶ナット２０Ｂがスプリングワッシャ部２３を備えているので、別体のスプリングワッシャを用いることなく、吊具本体１２を使用状態に取付固定することができ、蝶ナット２０Ｂが有する合成樹脂成形体２２の弾性力によって高い緩み止め効果が得られる。
【００５４】
また、ナット本体２１と、スプリングワッシャ部２３が一体となった構成であるため、別体のスプリングワッシャを用いなくてもよく、また部品点数を少なくすることができ、そのため高所において効率よく作業することができる。特に本実施形態に示した雨樋吊具１０Ｂには、第１実施形態で使用される吊りボルト１１Ａ（図１参照）に比べて寸法がはるかに小さなボルト１１Ｂを使用するため、このようにスプリングワッシャを一体化することで、部品の紛失、落下等の危険性も軽減でき、作業効率が格段に向上する。
【００５５】
なお、本実施形態では、合成樹脂成形体２２が、手指の操作で変形しない程度の硬度を必要とする操作部２５と、弾性を必要とする押圧部（スプリングワッシャ部２３）とを含んでいるので、部位に応じて合成樹脂材料を異ならせて成形することが望ましい。
【符号の説明】
【００５６】
１０Ａ、１０Ｂ      雨樋吊具
１１Ａ      吊りボルト（ボルト）
１１Ｂ      ボルト
１２      吊具本体
１２ａ      連結部
１３      ナット
１６      取付杆
１６ａ      連結片
１６ａｂ      軸孔
１７      取付部材
２０Ａ      鍔付きナット（ナット）
２０Ｂ      蝶ナット（ナット）
２１      ナット本体
２１ａ      頭部
２２      合成樹脂成形体
Ａ      押圧部
２３      スプリングワッシャ部
２４      鍔部
２５      操作部
２６      ナット収容部
１      折板屋根
２      雨樋
【図１】
2012229555.tif 000003
【図２】
2012229555.tif 000004
【図３】
2012229555.tif 000005
【図４】
2012229555.tif 000006
【図５】
2012229555.tif 000007
【図６】
2012229555.tif 000008
【図７】
2012229555.tif 000009
【図８】
2012229555.tif 000010